(57)【要約】【課題】    従来、洗濯物を洗濯ばさみに挟むときは開閉操作部に力を入れてビンチ部を開閉しなければならないし  又、  開閉操作部とピンチ部との２点を目で確認する必要があった。  そこで、  指に力を入れなくて、しかも、１点のみを見てピンチ出来る洗濯ばさみを提供する。【解決手段】  基部の両端に支持部を設けてＶ字形、Ｕ字形、コの字形、半円状、または多角形等の外枠を成形し、該外枠の両支持部の下端部を支点にして可動する可動部に挟持部を設けた挟持片を取り付けて、両挟持片で衣服等洗濯物を挟み保持することを特徴とした洗濯ばさみ。【選択図】図１
2010012202.tif 000002
【特許請求の範囲】
【請求項１】
基部の両端に支持部を設けて略Ｖ字形、Ｕ字形、コの字形、半円状、または多角形等の外枠を成形し、該外枠の両支持部の下端部を支点にして可動する可動部に挟持部を設けた挟持片を取り付けて、両挟持片で衣服等洗濯物を挟み保持することを特徴とした洗濯ばさみ。
【請求項２】
基部の両端に支持部を設けて略Ｖ字形、Ｕ字形、コの字形、半円状、または多角形等の外枠を成形し、該外枠の一支持部の下端部を支点にして可動する可動部に挟持部を設けた挟持片を取り付けて、該挟持片と対向する支持部とで衣服等洗濯物を挟み保持することを特徴とした洗濯ばさみ。
【請求項３】
請求項１または請求項２記載の洗濯ばさみにおいて、洗濯物を挟持する挟持部の面に凹凸のような摩擦部を設けたことを特徴とした洗濯ばさみ。
【発明の詳細な説明】
【技術分野】
【０００１】    本発明は、洗濯物を洗濯ばさみに挟むとき強い指の力を要することなく把持を可能にした洗濯ばさみに関するものである。
【背景技術】
【０００２】  従来の洗濯ばさみは、下記特許文献１・２のように開閉操作部を指で強く操作して洗濯物をピンチ部に挟んでいた。また、ピンチ部位と開閉操作部とは支点を中心にした両側に離れている。
【特許文献１】  特開２０００−１３５３９９
【特許文献２】  特開平９−２８９９０
【発明の開示】
【発明が解決しようとする課題】
【０００３】  そのために、洗濯ばさみを使用するとき、次のような問題点があった。
（１）  開閉操作部とピンチ部の２点を目で確認する必要がある。
（２）  物を挟むとき開閉操作部に力をいれてピンチ部をひろげなくてはならないため指に力を要した。
本発明は、以上の問題を解決しようとするものである。
【問題を解決するための手段】
【０００４】  基部の両端に支持部を設けて略Ｖ字形、Ｕ字形、コの字形、半円状、または多角形等の外枠を成形し、該外枠の両支持部の下端部を支点にして可動する可動部に挟持部を設けた挟持片を取り付けて、両挟持片で衣服等洗濯物を挟み保持する洗濯ばさみと。
【０００５】  基部の両端に支持部を設けて略Ｖ字形、Ｕ字形、コの字形、半円状、または多角形等の外枠を成形し、該外枠の一支持部の下端部を支点にして可動する可動部に挟持部を設けた挟持片を取り付けて、該挟持片と対向する支持部とで衣服等洗濯物を挟み保持する洗濯ばさみとを提供する。
【０００６】  上記の洗濯ばさみには、洗濯物を挟持する挟持部面に凹凸のような摩擦部を設けてよいし、更に、保持力が弱いときには、可動部や挟持片全体にバネ機能を持たせてもよい。
【発明の効果】
【０００７】  本発明は、従来の洗濯ばさみの開閉操作部とピンチ部が同じ位置であり、開閉操作部とピンチ部の２点を確認する必要が無く、また、物を挟むときピンチ部をひろげる力が小さくてすむ等の顕著な効果がある。
また、挟持部に凹凸をつけ摩擦手段を施すことによって、一段と洗濯物の保持力を増加さす効果がある。
【発明を実施するための最良の形態】
【０００８】  本発明の最良の形態を実施例に基づき説明する。
【実施例】
【０００９】  請求項１と請求３記載の本発明の実施例を図１・２・３・４に示す。
図１は  基部（１）の両端に支持部（２）を設けてコの字形外枠（３）を成形し、該外枠（３）の両支持部（２）の下端部を支点（４）にして可動する可動部（５）に挟持片（６）を取り付けて成る洗濯ばさみである。両挟持片にて挟持部（６１）を形成する。
本挟持片（６）は可動部（５）と連続一体化したものである。但し、可動部（５）はバネのような弾性力を要す。湾曲に成形することによって押圧力が増し、強く保持される。又、素材をプラスチック等の樹脂でも製造可能なので制作が容易である。
図２は、洗濯物（８）を把持する状態を示したものである。
図３は両支持部（２）の下端部を支点（４）にして可動する可動部（５）を硬性にしたものである。
図４は、  基部（１）、支持部（２）、可動部（５）、挟持片（６）を一体成形し、外枠（３）を半円形状にしたものである。湾曲に成形することによって挟持部（６１）での押圧力が増し、強く保持される。樹脂で製造可能であるので制作が極めて容易で安価である。【００１０】  請求項２と請求３記載の本発明の実施例を図５・６・７に示す。
図５は、外枠（３）の一支持部（２）の下端部を支点（４）にして可動部（５）と一体成形した挟持片（６）を取り付けて、該挟持片（６）と対向する支持部（２）とで衣服等の洗濯物を挟み保持する洗濯ばさみである。図１と同様、可動部（５）はバネのような弾性力を要す。  更に、支持部（２）と挟持片（６）には摩擦部（７）を設けた。
図６は、外枠（３）の一支持部（２）の下端部を支点（４）にして、硬性の可動部（５）を介して上下動する挟持片（６）を取り付けたものである。挟持片（６）と対向する支持部（２）とで衣服等洗濯物を挟み保持する洗濯ばさみである。  更に、支持部（２）と挟持片（６）には凹凸を施した摩擦部（７）を設けた。
図７は、コ字状の外枠（３）の一支持部の下端部を支点（４）にＬ型の挟持片（６）を取り付けた洗濯ばさみを、右拇指と右示指で保持して右拇指で可動部（５）を押して挟持部（６１）を少し開いた状態を示す。対向する挟持片（６）と支持部（２）とには凹凸を設け嵌合させ洗濯物を保持する。外枠（３）支点（４）可動部（５）、挟持片（６）は連続している。【００１１】  これらの発明品を使用するときには、図７のように指で可動部を押し隙間を開けて、洗濯物を挿入してから可動部から指を離せばよい。
洗濯物の自重で挟持片が下に引っ張られ保持力（ピンチ力）を増強する。
洗濯物を除去する際には、可動片を下から上に押しあげれば、簡単にはずれる。
基部に孔を明け、該孔部に吊り輪を設けて吊り下げればよい。
【図面の簡単な説明】
【００１２】
【図１】  請求項１記載発明の実施例の斜視図。
【図２】  請求項１記載発明の洗濯物を把持する状態を示す斜視図。
【図３】  請求項１、請求項３記載発明の実施例の斜視図。
【図４】  請求項１記載発明の実施例の正面図。
【図５】  請求項２、請求項３記載発明の実施例の斜視図。
【図６】  請求項２、請求項３記載発明の実施例の斜視図。
【図７】  請求項２、請求項３記載発明の実施例を指先で保持した斜視図。
【符号の説明】
【００１３】  １    基部
２    支持部
３    外枠
４    支点
５    可動部
６    挟持片
６１  挟持部
７    摩擦部
８    洗濯物
９    指先
【図１】
2010012202.tif 000003
【図２】
2010012202.tif 000004
【図３】
2010012202.tif 000005
【図４】
2010012202.tif 000006
【図５】
2010012202.tif 000007
【図６】
2010012202.tif 000008
【図７】
2010012202.tif 000009